(57)【要約】      （修正有）【課題】自宅又は外食の際、幼児用のエプロンを予めコンパクトに畳んで収納してマーク等を表にしておけば、整理整頓の際、及び携帯の際にファッションを楽しむ用途への適応性を高めて、母親の負荷を軽減する便利な“お食事ＫＩＤＳエプロン”を提供する。【解決手段】幼児の顎下から胸元にかけて覆うエプロン本体１０を柔軟性素材により形成し、エプロン本体１０の上部両側に、肩から背中側に回して先端部を接合する一対の係止部分２０、３０を有し、エプロン本体１０の表面下部に上端解放型の前ポケット４０を設けたお食事ＫＩＤＳエプロン１００において、エプロン本体１０の裏面下部中央部に上端開放型の内ポケットを内装した下端開放型の収容ポケットを設けたことを特徴とする。【選択図】図１
0003203694.tif 000002
【実用新案登録請求の範囲】
【請求項１】
幼児の顎下から胸元にかけて覆うエプロン本体を柔軟性素材により形成し、エプロン本体の上部両側に、肩から背中側に回して先端部を接合する一対の係止部分を有し、前記エプロン本体の表面下部に上端解放型のポケットを設けたお食事ＫＩＤＳエプロンにおいて、前記エプロン本体の裏面下部中央部に上端開放型の内ポケットを内装した下端開放型の収容ポケットを設けたことを特徴とするお食事ＫＩＤＳエプロン。
【考案の詳細な説明】
【技術分野】
【０００１】  本考案は、お食事ＫＩＤＳエプロンに関するものである。
【背景技術】
【０００２】  乳幼児や幼児に食事させ、あるいは自分で食事する場合には食べこぼしによって衣服や床を汚すことが多い。そして、これを回避するためにエプロンをさせることが日常的に行われている。【０００３】  一般に、幼児用エプロンは、耐洗濯性や汚れにくさなどの機能性のほかに、外観の可愛らしさが要求され可愛らしさを表現する手段として、エプロンの布地の前面にマジックテープやステッチによって花や動物などを表したアップリケを取り付けることができるようにしたエプロンも存在する。
また機能的な要素としてエプロンの前面におしゃぶりなどを入れたり食べこぼしを収容するポケットを取り付けたエプロンが存在する。【０００４】  一方、自宅で幼児に食事をするとき或いは、幼児との外出の際、飲食店などで食事をするような場合には、幼児にエプロンを掛けて食事をさせなければならない。
【考案の開示】
【考案が解決しようとする課題】
【０００５】  本考案は、前記のような自宅又は外食の際、幼児用のエプロンを予めコンパクトに収納してマークを表にしておけば、整理整頓の際及び携帯の際にファッションを楽しむ用途への適応性を高めて、母親の負荷を軽減する便利な“お食事ＫＩＤＳエプロン”を提供する。
【課題を解決するための手段】
【０００６】前記課題を満足する本考案の技術的特徴とする手段は次の（１）の通りである。
（１）、幼児の顎下から胸元にかけて覆うエプロン本体を柔軟性素材により形成し、エプロン本体の上部両側に、肩から背中側に回して先端部を接合する一対の係止部分を有し、前記エプロン本体の表面下部に上端解放型のポケットを設けたお食事ＫＩＤＳエプロンにおいて、前記エプロン本体の裏面下部中央部に上端開放型の内ポケットを内装した下端開放型の収容ポケットを設けたことを特徴とするお食事ＫＩＤＳエプロン。
【考案の効果】
【０００７】  本考案の“お食事ＫＩＤＳエプロン”は、後述する折り畳み収容例により、前記下端開放型の収容ポケットの裏返し内に予めコンパクトに収納し、更に内ポケットを裏返して蓋をしてポケット内収容を完了する。これにより内ポケットの裏返し面に表示したマークが表に出ているため整理整頓が極めて容易である。してみれば、前記のような自宅での食事の際は、内ポケットの裏返し面に表示のマークでお好みのお食事ＫＩＤＳエプロンをエプロン収納ポケットのまま選んでエプロン本体を簡易に取り出して掛けたり、外食の際はお好みのお食事ＫＩＤＳエプロンを収納した収納ポケットをそのまま携帯する等、ファッションを楽しむ用途への適応性を高めて、更に母親の負荷を軽減する便利な“お食事ＫＩＤＳエプロン”なのである。
そして食後は、自宅場合は、使用したエプロン本体を洗濯に回し、外食の場合は、例えば汚れた表の三つ縦折り込みと横折り込みで裏側のエプロン収納ポケットに簡単に収容して元のコンパクトな携帯パックに変身するなど、用途への適応性を高めた優れた作用効果を呈する。【０００８】  これらの作用効果により赤ん坊を持つお母さんは、自宅での食事は勿論、外出時の外食あるいはピクニック等の食事の際の負担が大幅に軽減されるから、外での食事を兼ねた外出が躊躇することなく容易に可能となり楽しさも倍加するなどの副次効果も多く得られる。
【図面の簡単な説明】
【０００９】
【図１】本考案の“お食事ＫＩＤＳエプロン”の実施例を示す表面説明図である。
【図２】図１に示す“お食事ＫＩＤＳエプロン”例の裏面説明図である。
【図３】本実施例の“お食事ＫＩＤＳエプロン”の畳み方の１例を示す説明図である。
【考案を実施するための形態】
。
【００１０】本考案を実施するための形態は、実施例（：具体例）により詳細に説明する。
【実施例】
【００１１】  図１〜図２において、本実施例の“お食事ＫＩＤＳエプロン”１００（以下単にベビーエプロン１００と称する）は、幼児の顎下から胸元にかけて覆うエプロン本体１０と、エプロン本体１０の上部両側に幼児の肩から背中側に回して先端部を接合する一対の係止部分２０、３０と、エプロン本体１０の表面下部に上端解放型の前ポケット４０を設け、前記エプロン本体１０の裏面下部中央部に上端開放型の内ポケット５０を内装した下端開放型の収納ポケット６０を設けたエプロンであり、これらの素材は柔軟性素材である。【００１２】  前記柔軟性素材としては、好ましくは撥水加工されたポリエステル、綿、ＰＶＣなどその他適宜な素材を用いる。【００１３】  前記エプロン本体１０の表面には適宜なデザインの動物、乗り物、花、漫画モンスター等を印刷又は表示したアップリケを装着してそのファッション性を生かして楽しむことができる。又エプロン本体１０縁部は綻び防止や変形防止の縁取り１０Ｓをして補強してある【００１４】  前記一対の係止部分２０、３０は先端部にマジックテープ（商標）ＭＴ等を装着し、掛け外しを容易にしてあるが本例に限定されない。【００１５】  前記下端開放型の収容ポケット４０及び上端開放型の内ポケットは、形状は限定されないが、フォーク、スプーン、おしゃぶり、小さなおもちゃ、ティッシュペーパー等々を適宜に収容可能な容量のものにすればよい。【００１６】  前記下端開放型のエプロン収納ポケット６０及び上端開放型の内ポケット５０は、前記エプロン本体１０、一対の係止部分２０、３０、上端解放型のポケット４０を折り畳んで収容可能な容量があり、形状は折り畳むので矩形が好ましい。【００１７】次に本例のベビーエプロン１００の折り畳み型の１例を図３と共に説明する。
携帯用にコンパクトにポケットに収容する手順例は次の通りである。
（ａ）、表面側を拡げたベビーエプロン１００を図３の（１）に示すように係止部分２０、３０、を前畳みした状態から両サイドから点線で示すように三つ折りにして図３の（２）の状態にする。この際中央部の幅は、裏の収容ポケット６０の幅にしておく。
（ｂ）、次に図３の（２）に示すように上から三等分の上部区分を折り中央部区分に重ねて図３の（３）の状態にし、図３の（３）の重ね部分を更に折り下部区分に重ねて三つ折りにする。これで裏側を見ると図３の（４）の状態になっている。
この図３の（４）の状態では収容ポケット６０が下端開放部になっており、内ポケット５０の下部が見えている。
（ｃ）、次に図３の（４）に示すように収容ポケット６０の下端開放部を上にめくり裏返すと図３の（５）に示すように内ポケット５０の表面が出現し、裏のロゴが上下反対になって透けて見える。
（ｄ）、次に図３の（５）に示すように内ポケット５０の上端開放部を矢印示すように下側にめくり裏返すと図３の（６）に示すように内ポケット５０が裏返しされてロゴが出現すると共に内ポケット５０により蓋が施されコンパクトな携帯パックに変身する。
但し、この手順は１例であり、適宜臨機応変で効率の良い手順を自由に設定して行えばよい。また上記逆順でエプロンが飛び出す。
今日は花エプロンが出てくるのかな（出そうかな）、動物の赤ちゃんエプロンかな、面白いモンスターエプロンかなと子供は勿論母親も楽しむことができる。
【産業上の利用可能性】
【００１７】本考案は前記したすぐれた作用効果を呈する為、一般家庭は勿論保育所などで活用されベビーグッズ産業界に貢献すること多大なものがある。
【符号の説明】１００：お食事ＫＩＤＳエプロン
１０：エプロン本体
１０Ｓ：縁取り
２０、３０：係止部分
ＭＴ  マジックテープ（商標）
４０：上端解放型の前ポケット
５０：上端開放型の内ポケット
６０：下端開放型の収納ポケット
【図１】
0003203694.tif 000003
【図２】
0003203694.tif 000004
【図３】
0003203694.tif 000005